(57)【特許請求の範囲】
【請求項１】
筐体内に回転伝達機構を有するしゃ断機であって、
前記回転伝達機構は、回転駆動源の回転駆動力をしゃ断かん駆動用の主軸に伝達するものであり、前記主軸を支持する支持機構から分離した支持機構により支持されている、しゃ断機。
【請求項２】
請求項１に記載されたしゃ断機であって、前記回転伝達機構は、歯車列を含み、前記主軸を支持する前記支持機構は、側面板を含み、前記主軸を支持する前記支持機構から分離した支持機構には、支持部材が含まれる、しゃ断機。
【請求項３】
請求項１又は２に記載されたしゃ断機であって、
前記主軸は、前記筐体の側面板によって支持されており、
前記回転伝達機構の前記支持機構は、前記側面板を含まない、しゃ断機。
【請求項４】
請求項１乃至３の何れかに記載されたしゃ断機であって、
前記筐体は、地面に設置されるスタンドに取り付けられており、
前記支持機構は、前記スタンドに設けられている、しゃ断機。
【発明の詳細な説明】
【技術分野】
【０００１】
本発明は、しゃ断機、具体的には踏切しゃ断機に関する。
【背景技術】
【０００２】
従来の踏切しゃ断機は、一般に、しゃ断かんの回転軸を、筐体によって支持するとともに、しゃ断かん回転軸に対してモータの回転駆動力を伝達する回転伝達機構（減速伝達手段）をも、筐体によって支持する構造となっていた（特許文献１）。
【０００３】
上述した一般的なしゃ断機では、図６にイメージとして示すように、しゃ断かん１が下降位置にあるときは、風圧により筐体１３をねじる方向に負荷が作用する。しゃ断かん１が上昇位置にあるときは、図７に示すように、風圧により筐体１３を上下に曲げる方向に負荷が作用する。
【０００４】
上述した負荷に起因する筐体１３の撓みにより、歯車機構でなる回転伝達機構に動作不具合が生じないようにするため、従来は、筐体１３を強固に補強する必要があった。このため、しゃ断機のコストが高くなると共に、重量も重くなっていた。
【先行技術文献】
【特許文献】
【０００５】
【特許文献１】特開２００７−１２５９１８号公報
【発明の概要】
【発明が解決しようとする課題】
【０００６】
本発明の課題は、しゃ断機に作用する負荷の特性に着目し、回転伝達機構を構成する歯車機構を、負荷の影響を受けにくい位置に設けることにより、筐体をより簡易に設計し得るようにしたしゃ断機を提供することである。
【課題を解決するための手段】
【０００７】
上述した課題を解決するため、本発明に係るしゃ断機は、筐体内に回転伝達機構を有する。この回転伝達機構は、回転駆動源の回転駆動力をしゃ断かん駆動用の主軸に伝達するものであり、主軸を支持する支持機構から分離した支持機構により支持されている。
【０００８】
上述したように、本発明に係るしゃ断機において、回転駆動源の回転駆動力を、しゃ断かん駆動用の主軸に伝達する回転伝達機構は、前記主軸のモーメントを受けない支持機構によって支持されているから、しゃ断かん駆動用主軸の有するモーメントが、しゃ断かん回転軸から筐体の側面板に加わり、筐体が側面板を中心として撓んだとしても、支持機構、及び、それによって支持されている回転伝達機構は影響を受けない。従って、筐体をより簡易に設計し得る。即ち、本発明は、しゃ断機に作用する負荷の特性に着目し、回転伝達機構を構成する歯車機構を、負荷の影響を受けにくい位置に設けることにより、筐体をより簡易に設計し得るようにしたものである。
【０００９】
具体的な形態として、回転伝達機構は、歯車列を含み、主軸を支持する支持機構は、側面板を含み、主軸を支持する支持機構から分離した支持機構には、支持部材が含まれる。
【００１０】
本発明に係るしゃ断機は、典型的には、電気踏切しゃ断機であるが、駐車場の出入口に設置される電気しゃ断機としても用いることができる。
【発明の効果】
【００１１】
以上述べたように、本発明によれば、しゃ断機に作用する負荷の特性に着目し、回転伝達機構を構成する歯車機構を、負荷の影響を受けにくい位置に設けることにより、筐体をより簡易に設計し得るしゃ断機を提供することができる。
【図面の簡単な説明】
【００１２】
【図１】本発明に係るしゃ断機の概略を示す部分破断面図である。
【図２】図１に示したしゃ断機の平面部分断面図である。
【図３】図１及び図２に示したしゃ断機の作用を説明する平面部分断面図である。
【図４】本発明に係るしゃ断機の別の形態を示す平面部分断面図である。
【図５】図４に示したしゃ断機の平面部分断面図である。
【図６】しゃ断かんが下降位置にある場合の一般的な踏切しゃ断機の負荷状態を、イメージとして示す図である。図４に示したしゃ断機の平面部分断面図である。
【図７】しゃ断かんが上昇位置にある場合の一般的な踏切しゃ断機の負荷状態を、イメージとして示す図である。
【発明を実施するための形態】
【００１３】
図１及び図２に例示された電気式踏切しゃ断機は、しゃ断かん１と、これを駆動する主軸３と、モータでなる回転駆動源７の回転駆動力を、主軸３に伝達する回転伝達機構９を含んでいる。しゃ断かん１は、主軸３の回転とともに上昇方向ＵＰに回転駆動され、又は、自己の有する下降トルクにより下降方向ＤＷに回転する。
【００１４】
主軸３、回転駆動源７及び回転伝達機構９は、筐体１３の内部に配置されている。筐体１３は、従来より多用されてきた鋳物製品であってもよいし、板金加工品であってもよい。この実施の形態では、板金加工品であるとして説明する。
【００１５】
筐体１３は、地面に設置されるスタンド１１の上端に、その上面１１１を全周から覆うようにして取り付けられている。筐体１３は、側面板１３１〜１３４を有しており、対向する２枚の側面板１３１、１３２に主軸３を貫通させてある。従って、主軸３は、筐体１３の側面板１３１、１３２によって支持されることになる。
【００１６】
筐体１３の内部に配置されている回転伝達機構９は、回転駆動源７の回転駆動力を、しゃ断かん駆動用の主軸３に伝達するものである。回転伝達機構９は、回転駆動源７の回転駆動力を順次に伝達する歯車９１〜９６の列を含む。このような歯車列は周知である。
【００１７】
従来と異なる本発明の特徴は、回転伝達機構９が、主軸３のモーメントを受けない支持機構５によって支持されていること、別の表現を用いれば、回転伝達機構９の支持機構５が、主軸３を支持する支持機構から分離されていることである。
【００１８】
この実施の形態では、上述したように、主軸３が、筐体１３の側面板１３１、１３２によって支持されているので、回転伝達機構９は、少なくとも、側面板１３１、１３２を含まない支持機構５によって支持されることになる。
【００１９】
その具体的な形態として、図１及び図２では、側面板１３１〜１３４から独立する支持部材５１、５２を、間隔を隔てて対向させ、両者５１、５２を連結部材５３、５４によって結合し、支持部材５１、５２の下端をスタンド１１の上面１１１に機械的結合手段、又は接合手段によって固定する。支持部材５１、５２の上端は、主軸３よりも低い位置にある。
【００２０】
支持部材５１、５２は、回転駆動源７及び歯車９１〜９５を支持するのに適した構造であればよく、必ずしも、板材である必要はない。連結部材５３、５４も、支持部材５１、５を結合するものであればよく、必ずしも、複数の独立する棒状である必要はない。例えば、支持部材５１、５２の周辺に沿うように連続して配置された一枚又は複数枚の板状部材であってもよい。
【００２１】
支持部材５１、５２の対向間隔内には、歯車９１〜９６が配置されている。歯車９１〜９６は、回転駆動源７の回転軸に同軸に取り付けられたピニオンギヤ９１に、平歯車９４を噛み合わせ、この平歯車９４と同軸のピニオンギヤ９５に、扇形歯車９６を噛みあわせた組合せとなっている。扇形歯車９６の回転軸は主軸３によって構成されている。ピニオンギヤ９１をとりつけた回転駆動源７、歯車９２及び歯車９４は、支持部材５１、５２によって支持されている。
【００２２】
上述した本発明に係るしゃ断機において、回転駆動源７の回転駆動力を、しゃ断かん駆動用の主軸３に伝達する回転伝達機構９は、主軸３のモーメントを受けない支持機構５によって支持されているから、図３に図示するように、しゃ断かん１の回転モーメントMfが、しゃ断かん回転軸である主軸３から筐体１３の側面板１３１〜１３４に加わり、筐体１３が、側面板１３１〜１３４を中心として撓んだとしても（１３Ａ）、回転伝達機構９を支持する支持部材５１、５２は影響を受けない。従って、筐体１３をより簡易に設計し得る。即ち、本発明によれば、しゃ断機に作用する負荷の特性に着目し、回転伝達機構９を構成する歯車機構を、負荷の影響を受けにくい位置に設けることにより、筐体１３をより簡易に設計し得る。
【００２３】
本発明の特徴は、上述したように、回転伝達機構９が、主軸３のモーメントを受けない支持機構５によって支持されていること、別の表現を用いれば、回転伝達機構９の支持機構５が、主軸３を支持する支持機構から分離されていることであり、このような条件を満たす構造は、上述した形態の他にも、種々考えることができる。その一例を、図４及び図５に示した。図において、図１〜図３に現れた構成部分と同一又は類似の構成部分については、同一または類似の参照符号を付し、重複説明はこれを省略することがある。
【００２４】
図４、図５に示した実施の形態では、支持機構５を構成する支持部材５１、５２の下端部を、スタンド１１に固定せずに、いわゆる「縁切り」状態とし、上端部を上方向（図４において）に延長して、その部分に主軸３を緩く貫通（図５参照）させてある。
【００２５】
図４及び図５に示した実施の形態において、しゃ断かん１の回転モーメントによって、主軸３が負荷を受け筐体１３が撓んだとしても、回転伝達機構９を支持する支持部材５１、５２は影響を受けない。
【００２６】
以上の実施の形態で説明された構成、形状、大きさ、及び、配置関係については、本発明が理解・実施できる程度に概略的に示したものに過ぎない。従って、本発明は、説明された形態に限定されるものではなく、特許請求の範囲に示される技術的思想の範囲を逸脱しない限り様々な形態に変更することができる。
【符号の説明】
【００２７】
１            しゃ断かん
３            主軸
５            支持機構
【図１】
0006385165.tif 000002
【図２】
0006385165.tif 000003
【図３】
0006385165.tif 000004
【図４】
0006385165.tif 000005
【図５】
0006385165.tif 000006
【図６】
0006385165.tif 000007
【図７】
0006385165.tif 000008